(57)【要約】【課題】防犯ブザーにおける主としてその落下による故障を、簡素な構造をもって、できるだけ生じさせないようにする。【解決手段】ブザー１ｄを備えると共に両端間に突き当たり部１ａを備えた本体１と、クッション材よりなると共にこの本体１の突き当たり部１ａを挟んだ一方側に被装される第一のスリーブ体２とその他方側に被装される第二のスリーブ体３とを備えている。第一及び第二のスリーブ体２、３はいずれも、その外径を突き当たり部１ａの形成位置での本体１の最大径よりも大きくし、かつ、スリーブ一端２ａ、３ａを突き当たり部１ａに突き当てさせてそのスリーブ他端２ｂ、３ｂを本体１の端面１ｂ、１ｃの前方に位置させるようになっている。【選択図】図３
2010146435.tif 000002
【特許請求の範囲】
【請求項１】
ブザーを備えると共に両端間に突き当たり部を備えた本体と、
クッション材よりなると共に、この本体の突き当たり部を挟んだ一方側に被装される第一のスリーブ体と、その他方側に被装される第二のスリーブ体とを備えており、
第一及び第二のスリーブ体はいずれも、その外径を突き当たり部の形成位置での本体の最大径よりも大きくし、かつ、スリーブ一端を突き当たり部に突き当てさせてそのスリーブ他端を本体の端面の前方に位置させるようになっていることを特徴とする防犯ブザー。
【請求項２】
本体の一方の端面の内方にブザーが内蔵されていることを特徴とする請求項１に記載の防犯ブザー。
【請求項３】
突き当たり部の先端部に光を反射する反射面が形成してあることを特徴とする請求項１又は請求項２に記載の防犯ブザー。
【発明の詳細な説明】
【技術分野】
【０００１】
この発明は、ランドセルなどのかばんや袋物に吊り下げるなどして携帯されると共に、非常時に際しては簡単な操作で警報音を鳴らすように構成された防犯ブザーに関する。
【背景技術】
【０００２】
現在、防犯ブザーは広く普及してきており、特に多くの小学校においては地方公共団体から生徒に配布あるいは貸与がなされているところである。ここで、かかる防犯ブザーはランドセルなどに吊り下げるなどして携帯されることが多く、日常的な活動において落下などを生じさせやすいことから、防犯ブザーのテストとして落下衝撃試験が実施されている。独立行政法人国民生活センターが平成２０年に行った試験では、同一構造の１０個の防犯ブザーを用意し、各個毎に１ｍの高さからその６面毎にコンクリートの床上に落下させ、全１０個のうち故障が生じた数と、その故障の内容と、その故障の原因とを調べている。
【発明の開示】
【発明が解決しようとする課題】
【０００３】
この発明が解決しようとする主たる問題点は、この種の防犯ブザーにおける主としてその落下による故障を、簡素な構造をもって、できるだけ生じさせないようにする点にある。
【課題を解決するための手段】
【０００４】
前記課題を達成するために、この発明にあっては、防犯ブザーを、以下の（１）〜（３）の構成を備えたものとした。
（１）ブザーを備えると共に両端間に突き当たり部を備えた本体と、
（２）クッション材よりなると共に、この本体の突き当たり部を挟んだ一方側に被装される第一のスリーブ体と、その他方側に被装される第二のスリーブ体とを備えており、
（３）第一及び第二のスリーブ体はいずれも、その外径を突き当たり部の形成位置での本体の最大径よりも大きくし、かつ、スリーブ一端を突き当たり部に突き当てさせてそのスリーブ他端を本体の端面の前方に位置させるようになっている。
【０００５】
かかる構成によれば、前記本体にクッション材よりなる第一のスリーブ体と第二のスリーブ体を前記のように被装させてなることから、本体のいずれの端面を下にして防犯ブザーを落としもこの端面から本体内に直接衝撃を伝えさせてしまうことはなく、また、本体の側部を下にしてどの向きから防犯ブザーを落としてもこの側部から本体内に直接衝撃を伝えさせてしまうことはなく、落下の衝撃を必ずかかる第一及び第二のスリーブ体によって吸収させることができる。これにより日常的な活動において防犯ブザーを落下させてしまっても、内蔵されたブザーを含んだ電気回路などに破損などができる限り生じないようにすることができる。本体には突き当たり部が形成されていることから、第一及び第二のスリーブ体の本体への被装状態は安定的に維持され防犯ブザーを落下させても被装位置にズレを生じたりすることはない。また、電池の交換などにあっては第一及び第二のスリーブ体の双方又はいずれか一方を本体から取り外すことで、容易にこれをなすことができる。
【０００６】
前記ブザーを本体の一方の端面の内方に内蔵させるようにしておけば、本体の側部を把持して本体を引っ張り操作するときにブザーの前方は手により覆われることが無く、非常時に所期の音量でブザーが鳴る状態を確保することができる。
【０００７】
また、前記突き当たり部の先端部に光を反射する反射面を形成させるようにしておけば、防犯ブザーにどの方向から光が当たった場合でもこれを反射して典型的には夕方から夜において防犯ブザーの携行者の存在を周囲に知らせることができる。
【発明の効果】
【０００８】
この発明によれば、落下などによる衝撃に起因した故障を、できるだけ生じさせないようにした防犯ブザーを簡素な構造をもって提供することができる。
【発明を実施するための最良の形態】
【０００９】
以下、図１〜図５に基づいて、この発明の典型的な実施の形態について説明する。
【００１０】
なお、ここで図１は実施の形態にかかる防犯ブザーを斜視の状態として、図３は断面の状態として、図４はこれになす環５などを付設させた利用状態をそれぞれ示しており、また、図２はかかる防犯ブザーを構成する各部材を分離させた状態として示している。また、図５は前記なす環５にさらに連繋される帯状体６の巻き付け時に内側に位置される箇所の様子を示している。
【００１１】
この実施の形態にかかる防犯ブザーは、ランドセルなどのかばんや袋物に吊り下げるなどして携帯されるものであって、非常時に際しては簡単な操作で警報音を鳴らすことができるものである。
【００１２】
かかる防犯ブザーは、本体１と、第一及び第二のスリーブ体２、３とを備えてなる。
【００１３】
本体１は、ブザー１ｄを備えている。すなわち、本体１内には、このブザー１ｄを含んだ図示しない電気回路が内蔵される。図示の例では、かかる本体１は、略円柱状の外郭形状を備えている。
【００１４】
また、かかる本体１の両端間には、前記第一及び第二のスリーブ体２、３のスリーブ一端２ａ、３ａに対する突き当たり部１ａが形成されている。図示の例では、かかる突き当たり部１ａは、本体１の筒軸方向略中程の位置において形成された周回鍔状をなすように構成されている。
【００１５】
図示の例では、かかる本体１の一方の端面１ｂの内方にブザー１ｄが内蔵されている。かかるブザー１ｄは円形板状の圧電ブザー１ｄとなっている。本体１の一端部の中央には、中空の短寸円柱状をなす凸部１ｅが形成されており、この凸部１ｅの突きだし端面が本体１の一方の端面１ｂとなっている。ブザー１ｄはこの凸部１ｅの基部が連接されると共に、壁面を本体１の筒軸に直交する向きに配した仕切り壁１ｆの内面に添装されている。仕切り壁１ｆの中央には凸部１ｅの内部空間への連通孔１ｇが形成されている。図中符号１ｈで示されるのは前記電気回路を構成するメインスイッチであり、図示の例ではかかるメインスイッチ１ｈは突き当たり部１ａにその操作端１ｉを位置させている。また、図中符号１ｊで示されるのは、前記電気回路に組み込まれる電池の収納部である。この収納部１ｊの入り口は本体１の外郭の一部をなす図示しない蓋板により閉塞されており、図示の例では、第一のスリーブ体２を本体１から取り外した状態からこの蓋板を外すことで電池の装填及び取り出しをなせるようにしてある。また、図中符号１ｋで示されるのは、本体１の筒軸位置に備えられて、この筒軸に沿った引き出し移動可能に本体１に組み合わされたピン状スイッチ（アラームストッパーなどと称される。）である。このピン状スイッチ１ｋはピン外端１ｍを本体１の他方の端面１ｃの略中央から外方に向けて突き出させ、かつ、ピン内端１ｎ側を本体１に内蔵された保持部１ｏに入れ込ませている。図示の例では、ピン状スイッチ１ｋのピン内端１ｎ側を本体１内に入れ込みきらせた状態において前記メインスイッチを閉成（ON）させていても前記電気回路は開成（OFF）状態とされてブザー１ｄは鳴らず、この状態からピン状スイッチ１ｋが所定位置まで本体１内から引き出されると前記電気回路が閉成状態に移行してブザー１ｄが鳴るようになっている。図示の例では、かかるピン状スイッチ１ｋの外端に丸環体４が取り付けられており、この丸環体４を利用して防犯ブザー１ｄの携行用部材を防犯ブザー１ｄに組み合わせることができるようにしてある。図示の例では、この丸環体４に前記携行用部材としてのなす環５を連繋させている。また、このなす環５に、両端を面状ファスナー６ａで留め合わせ可能にした帯状体６の長さ方向略中程の位置に設けたループ部６ｂを通して、この帯状体６を連繋させている。これにより図示の例では、例えば、ランドセルの背負いバンドにＤ環などが備えられているときは、このＤ環になす環５を連繋させてこの背負いバンドに防犯ブザーを吊り下げ状に備えさせることができ、また、こうしたＤ環などがないときはかかる背負いバンドに帯状体６を巻き付けてこの背負いバンドに防犯ブザーを吊り下げ状に備えさせることができるようになっている。図示の例では、かかる帯状体６の巻き付け時に内側に位置される箇所は摩擦抵抗の高い生地６ｃで覆われており、かかる帯状体６を利用する場合には前記背負いバンドの長さ方向に位置ズレを生じさせない態様でかかる背負いバンドに防犯ブザーを備えさせることができるようになっている。すなわち、図示の例では、防犯ブザーは典型的には前記ピン状スイッチ１ｋの備えられた本体１の他方の端面１ｃを上側にして吊り下げ状���ランドセルなどに備えられるものとなっている。したがってまた、非常時においては典型的には本体１の側部を把持して引っ張ることでこの本体１内からピン状スイッチ１ｋを抜け出させてブザー１ｄを鳴らすように用いられる。図示の例では、かかるブザー１ｄは本体１の一方の端面１ｂの内方に配されていることから、このように本体１の側部を把持して本体１を引っ張り操作するときにブザー１ｄの前方は手により覆われることが無く、非常時には所期の音量でブザー１ｄが鳴る状態を確保することができる。
【００１６】
また、図示の例では、前記突き当たり部１ａの先端部に光を反射する反射面７が形成してある。図示の例では、反射テープ７ａをこの突き当たり部１ａの全体に張り込むことで、前記反射面７を形成させている。これにより、図示の例では、防犯ブザーにどの方向から光が当たった場合でもこれを反射して典型的には夕方から夜において防犯ブザーの携行者の存在を周囲に知らせることができるようになっている。
【００１７】
一方、前記第一及び第二のスリーブ体２、３はいずれもクッション材より構成されている。両スリーブ体２、３共に、スリーブ一端２ａ、３ａと他端２ｂ、３ｂとを共に開放させた円筒状をなしている。また、両スリーブ体２、３共に、そのスリーブ他端２ｂ、３ｂの外縁部２ｃ、３ｃをアール状に成形させており、本体１に対してはそのスリーブ他端２ｂ、３ｂ側からこの本体１の端部を内部に入れ込むようにして、この本体１に被装されるようになっている。本体の１の側部に複数の小突起を形成させておけば、スリーブ体２、３のこの被装状態をより強固なものとすることができる。かかる第一及び第二のスリーブ体２、３は、防犯ブザーを落下させてしまったときにその衝撃を吸収するクッション性を持ったクッション材により構成される。かかるクッション材としては、典型的には、ゴムやゴム状弾性を備えたプラスチック、より具体的にはプラスチックフォーム材などを用いることができる。図示の例では、両スリーブ体２、３は、同寸、同形をなすように構成され、その内径は前記本体１の突き当たり部１ａと端面１ｂ、１ｃとの間の外径と略等しいか、これよりやや小さく構成され、かつ、突き当たり部１ａの外径よりも小さくなるように構成されている。また、両スリーブ体２、３の外径は、突き当たり部１ａの外径よりも大きくなってる。
【００１８】
そして、第一のスリーブ体２は前記本体１の突き当たり部１ａを挟んだ一方側において本体１に被装され、第二のスリーブ体３はこの突き当たり部１ａを挟んだ他方側において本体１に被装されるようになっている。そして、両スリーブ体２、３共に、スリーブ一端２ａ、３ａを突き当たり部１ａに突き当てさせてそのスリーブ他端２ｂ、３ｂを本体１の端面１ｂ、１ｃの前方に位置させるようになっている。すなわち、第一のスリーブ体２にあっては、その全長を突き当たり部１ａから本体１の一方の端面１ｂまでの長さより大きくさせ、かつ、第二のスリーブ体３にあっては、その全長を突き当たり部１ａから本体１の他方の端面１ｃまでの長さより大きくさせている。
【００１９】
この実施の形態にかかる防犯ブザーは、前記本体１にクッション材よりなる第一のスリーブ体２と第二のスリーブ体３を前記のように被装させてなることから、本体１のいずれの端面１ｂ、１ｃを下にして防犯ブザーを落としもこの端面から本体１内に直接衝撃を伝えさせてしまうことはなく、また、本体１の側部を下にしてどの向きから防犯ブザーを落としてもこの側部から本体１内に直接衝撃を伝えさせてしまうことはなく、落下の衝撃を必ずかかる第一及び第二のスリーブ体１、２によって吸収させることができる。これにより日常的な活動において防犯ブザーを落下させてしまっても、内蔵されたブザー１ｄを含んだ電気回路などに破損などができる限り生じないようにすることができる。本体１には突き当たり部１ａが形成されていることから、第一及び第二のスリーブ体２、３の本体１への被装状態は安定的に維持され防犯ブザーを落下させても被装位置にズレを生じたりすることはない。また、電池の交換などにあっては第一及び第二のスリーブ体２、３の双方又はいずれか一方を本体１から取り外すことで、容易にこれをなすことができる。
【００２０】
なお、前記本体１は両端間に突き当たり部１ａを備える構成であれば、その材質、形状、大きさは必要に応じて適宜変更して構わない。第一及び第二のスリーブ体２、３の形状も本体１の形状に倣った形状であれば良く、例えば、本体１を角柱状の外郭形状を持つように構成した場合、第一及び第二のスリーブ体２、３は角筒状をなすように構成させる。
【図面の簡単な説明】
【００２１】
【図１】防犯ブザーの斜視図
【図２】同分解斜視図
【図３】同断面図
【図４】同利用状態を示した斜視図
【図５】帯状体６の斜視図
【符号の説明】
【００２２】
１  本体
１ａ  突き当たり部
１ｂ  端面
１ｃ  端面
１ｄ  ブザー
２  第一のスリーブ体
２ａ  スリーブ一端
２ｂ  スリーブ他端
３  第二のスリーブ体
３ａ  スリーブ一端
３ｂ  スリーブ他端
【図１】
2010146435.tif 000003
【図２】
2010146435.tif 000004
【図３】
2010146435.tif 000005
【図４】
2010146435.tif 000006
【図５】
2010146435.tif 000007